(57)【要約】【課題】バランス風呂釜の接続口に給気筒を容易に取り付けることのできる給気筒取付装置を提供する。【解決手段】給気筒１１０の内側に突出して突起部材３０を設け、かつ接続口１０１の内縁から筐体外側へ突出する係合部材３０を設ける。突起部材は、頭部の径が支柱部より大きく、係合部材は、支柱部に合わせた径の穴部と、この穴部に連通し、頭部を避けて突起部材の支柱部を穴部に導くための案内路とを有している。案内路は、その入口部分から次第に上り傾斜して頂上部２７に至った後、当該頂上部を過ぎた箇所で微小段差２８によって頂上部よりわずかに低くなった箇所に設けられた穴部に連通している。突起部材と係合部材は、給気筒を接続口への取付完了位置にセットした際に、突起部材の頭部が頂上部を越えて微小段差に落ち込んた状態で支柱部が穴部に係合するように互いの位置が設定されている。【選択図】図１
2004020052.tif 000002
【特許請求の範囲】
【請求項１】
燃焼装置の筐体に開設された接続口にこれと略同一寸法の開口を有する給気筒を取り付けるための給気筒取付装置において、
突起部材と、この突起部材と係合する係合部材とを有し、
前記突起部材は、前記給気筒の内壁面に立設された支柱部と、この支柱部の端部に設けられ前記支柱部より幅広の頭部とを有するものであり、
前記係合部材は、前記支柱部が貫通可能であって前記頭部が貫通不能な形状を成した穴部と、前記穴部に連通し、前記頭部を避けて前記突起部材の前記支柱部を前記穴部に導くための案内路とを有し、
前記案内路は、その入口部分から次第に上り傾斜して頂上部に至った後、当該頂上部を過ぎた箇所で微小段差によって前記頂上部よりわずかに低くなった箇所に設けられた前記穴部に連通しており、
前記係合部材は、前記接続口への取付完了位置に前記給気筒をセットする際に前記突起部材の支柱部が前記案内路を通じて前記穴部に至るように、前記接続口の内縁から筐体の外側へ突出して形成されているとともに、前記給気筒を前記取付完了位置にセットしたとき、前記給気筒の内壁面と前記頂上部との間の距離が前記給気筒の内壁面から前記頭部までの距離よりもわずかに大きくなるように取り付けられている
ことを特徴とする給気筒取付装置。
【請求項２】
前記給気筒は、弾性パッキンを挟んで前記接続口に取り付けられるものであり、
前記弾性パッキンが圧縮された状態になるように前記取付完了位置が設定されている
ことを特徴とする請求項１に記載の給気筒取付装置。
【請求項３】
前記給気筒の開口下部に、前記接続口の下縁に引掛けるための引掛部を設け、
前記突起部材を前記給気筒の上部内側に設け、
前記係合部材を、前記突起部材に対応させて前記接続口の内縁上部から筐体の外側へ突出して設けた
ことを特徴とする請求項１または２に記載の給気筒取付装置。
【請求項４】
所定間隔を空けて前記突起部材を複数併設し、
前記複数の突起部材に対応する複数の係合部材を一体に構成した
ことを特徴とする請求項１〜３の何れかに記載の給気筒取付装置。
【請求項５】
前記案内路は、前記頭部が貫通可能な入口部と、前記入口部と前記穴部とを繋ぐ連結路とを有する
ことを特徴とする請求項１〜４の何れかに記載の給気筒取付装置。
【請求項６】
前記案内路は、前記係合部材の端部から前記穴部に連通する切込溝である
ことを特徴とする請求項１〜４の何れかに記載の給気筒取付装置。
【発明の詳細な説明】
【０００１】
【発明の属する技術分野】
本発明は、燃焼装置の筐体に開設された接続口にこれと略同一寸法の開口を有する給気筒を取り付けるための給気筒取付装置に関する。
【０００２】
【従来の技術】
従来から、バランス型風呂釜を設置する場合、図１１に示すように、浴室壁５０１に矩形の穴を貫通させ、この穴に、矩形筒状の排気トップ５０２を挿入して浴室壁５０１に固定する。風呂釜５１０の筐体５１１には、給排気のための接続口５１２が開設されており、ここに、断面矩形の給気筒５１３を取り付け、最後に給気筒５１３を排気トップ５０２の内側へ挿入して設置するようになっている。給気筒５１３は排気トップ５０２の内側にほぼ隙間無く入るようになっており、給気筒５１３をどの程度奥まで排気トップ５０２に挿入するかによって、浴室壁５０１から適宜離して風呂釜５１０を設置することが可能になっている。
【０００３】
【発明が解決しようとする課題】
風呂釜の接続口への給気筒の取り付けは、たとえば、図１２に示すように、給気筒下端の引掛部５１４を接続口５１２の内縁下部に引っ掛け、風呂釜本体上部の蓋を開けて開口５１５から本体内部に一方の手を入れ、この手で連結板５１６を押さえつつ、他方の手の中指と薬指で給気筒５１３を外側から押すことでパッキンを圧縮させて正規の取付位置に支えながら、パッキンの圧縮を維持したままで残りの人差し指と親指でビスとドライバーを持って連結板５１６と給気筒５１３とをねじ止めするという至難の作業によって行われていた。
【０００４】
本発明は、このような問題点に着目してなされたもので、バランス風呂釜の接続口に給気筒を容易に取り付けることのできる給気筒取付装置を提供することを目的としている。
【０００５】
【課題を解決するための手段】
かかる目的を達成するための本発明の要旨とするところは、次の各項の発明に存する。
［１］燃焼装置（１００）の筐体に開設された接続口（１０１）にこれと略同一寸法の開口を有する給気筒（１１０）を取り付けるための給気筒取付装置において、
突起部材（３０）と、この突起部材（３０）と係合する係合部材（２０）とを有し、
前記突起部材（３０）は、前記給気筒（１１０）の内壁面に立設された支柱部（３２）と、この支柱部（３２）の端部に設けられ前記支柱部（３２）より幅広の頭部（３３）とを有するものであり、
前記係合部材（２０）は、前記支柱部（３２）が貫通可能であって前記頭部（３３）が貫通不能な形状を成した穴部（２４）と、前記穴部（２４）に連通し、前記頭部（３３）を避けて前記突起部材（３０）の前記支柱部（３２）を前記穴部（２４）に導くための案内路（２５）とを有し、
前記案内路（２５）は、その入口部分から次第に上り傾斜して頂上部に至った後、当該頂上部を過ぎた箇所で微小段差によって前記頂上部よりわずかに低くなった箇所に設けられた前記穴部（２４）に連通しており、
前記係合部材（２０）は、前記接続口（１０１）への取付完了位置に前記給気筒（１１０）をセットする際に前記突起部材（３０）の支柱部（３２）が前記案内路（２５）を通じて前記穴部（２４）に至るように、前記接続口（１０１）の内縁から筐体の外側へ突出して形成されているとともに、前記給気筒（１１０）を前記取付完了位置にセットしたとき、前記給気筒（１１０）の内壁面と前記頂上部との間の距離が前記給気筒（１１０）の内壁面から前記頭部（３３）までの距離よりもわずかに大きくなるように取り付けられている
ことを特徴とする給気筒取付装置。
【０００６】
［２］前記給気筒（１１０）は、弾性パッキン（１１２）を挟んで前記接続口（１０１）に取り付けられるものであり、
前記弾性パッキン（１１２）が圧縮された状態になるように前記取付完了位置が設定されている
ことを特徴とする［１］に記載の給気筒取付装置。
【０００７】
［３］前記給気筒（１１０）の開口下部に、前記接続口（１０１）の下縁に引掛けるための引掛部（４０）を設け、
前記突起部材（３０）を前記給気筒（１１０）の上部内側に設け、
前記係合部材（２０）を、前記突起部材（３０）に対応させて前記接続口（１０１）の内縁上部から筐体の外側へ突出して設けた
ことを特徴とする［１］または［２］に記載の給気筒取付装置。
【０００８】
［４］所定間隔を空けて前記突起部材（３０）を複数併設し、
前記複数の突起部材（３０）に対応する複数の係合部材（２０）を一体に構成した
ことを特徴とする［１］〜［３］の何れかに記載の給気筒取付装置。
【０００９】
［５］前記案内路（２５）は、前記頭部（３３）が貫通可能な入口部（２５ａ）と、前記入口部（２５ａ）と前記穴部（２４）とを繋ぐ連結路（２５ｂ）とを有する
ことを特徴とする［１］〜［４］の何れかに記載の給気筒取付装置。
【００１０】
［６］前記案内路（２５）は、前記係合部材（２０）の端部から前記穴部（２４）に連通する切込溝（２６）である
ことを特徴とする［１］〜［４］の何れかに記載の給気筒取付装置。
【００１１】
次に、前記各項に記載された発明の作用について説明する。
給気筒（１１０）の内側に突出して設けられた突起部材（３０）は、支柱部（３２）と、この支柱部（３２）の上端に設けられ支柱部（３２）より幅広の頭部（３３）とを有している。燃焼装置（１００）には、接続口（１０１）の内縁から筐体の外側へ突出するように係合部材（２０）が設けられている。係合部材（２０）は、支柱部（３２）が貫通可能であって頭部（３３）が貫通不能な形状の穴部（２４）と、この穴部（２４）に連通し、頭部（３３）を避けて突起部材（３０）の支柱部（３２）を穴部（２４）に導くための案内路（２５）とを有している。案内路（２５）は、その入口部分から次第に上り傾斜して頂上部に至った後、当該頂上部を過ぎた箇所で微小段差によって頂上部よりわずかに低くなった箇所に設けられた穴部（２４）に連通している。
【００１２】
この突起部材（３０）と係合部材（２０）とは、給気筒（１１０）を接続口（１０１）への取付完了位置にセットした際に、突起部材（３０）の支柱部（３２）が穴部（２４）に係合するように互いの位置が設定されている。したがって、取り付けの際に給気筒（１１０）を押し込むと、突起部材（３０）の頭部（３３）が案内路（２５）の頂上部を越えた後、微小段差分だけ落ち込んで穴部（２４）に至るので、頂上部が障壁となって頭部（３３）の戻りを防止して給気筒（１１０）が接続口（１０１）に固定される。
【００１３】
このように、突起部材（３０）と係合部材（２０）を位置あわせして給気筒（１１０）を燃焼装置の接続口（１０１）に向けて押し込むだけで、給気筒（１１０）を所定の取付完了位置に固定することができるので、だれでも容易に給気筒（１１０）を燃焼装置（１００）の接続口（１０１）に取り付けることが可能になる。
【００１４】
弾性パッキン（１１２）を挟んで給気筒（１１０）を接続口（１０１）に取り付けるとともに、取付完了位置において弾性パッキン（１１２）が圧縮された状態になるようにしたものでは、給気筒（１１０）を接続口（１０１）に隙間無く取り付けることができる。また、弾性パッキン（１１２）の復元力によって突起部材（３０）の頭部（３３）が頂上部に押圧されるので、より一層しっかりと給気筒（１１０）を接続口（１０１）に取り付けることができる。
【００１５】
接続口（１０１）の下縁に引掛けるための引掛部（４０）を給気筒（１１０）の開口下部に設けるとともに突起部材（３０）を給気筒（１１０）の上部内側に設け、係合部材（２０）を、突起部材（３０）に対応させて接続口（１０１）の内縁上部から筐体の外側へ突出して設けたものでは、給気筒（１１０）下部の引掛部（４０）を接続口（１０１）の下縁に引掛けた後、案内路（２５）を通じて突起部材（３０）の支柱部（３２）が係合部材（２０）の穴部（２４）に入り込むように給気筒（１１０）の上部を接続口（１０１）に近づけ押し込むことで、給気筒（１１０）を取り付けることができる。また給気筒（１１０）下部の取り付けを引掛部（４０）で行い、給気筒（１１０）上部の取り付けを突起部材（３０）と係合部材（２０）によって行うので、全ての部分の取付を突起部材（３０）と係合部材（２０）によって行う場合に比べて、給気筒取付装置の構成が簡略化される。
【００１６】
所定間隔を空けて突起部材（３０）を複数併設し、複数の突起部材（３０）に対応する複数の係合部材（２０）を一体に構成したものでは、突起部材（３０）毎に係合部材（２０）を設ける場合に比して給気筒取付装置の構成が簡略化される。また製造工程において係合部材（２０）を接続口（１０１）に取り付ける際に、複数の係合部材（２０）同士で案内路（２５）の向きを揃えるという作業が軽減もしくは不要になる。
【００１７】
案内路（２５）は、頭部（３３）が貫通可能な入口部（２５ａ）と、この入口部（２５ａ）と穴部（２４）とを繋ぐ連結路（２５ｂ）とから成るものであっても良いし、係合部材（２０）の端部から穴部（２４）に連通する切込溝（２６）のような構成であっても良い。
【００１８】
【発明の実施の形態】
以下、図面に基づき本発明の実施の形態を説明する。
図１は、本発明の一実施の形態にかかる給気筒取付装置１０を用いてバランス型風呂釜１００に給気筒１１０を取り付ける様子を示している。給気筒取付装置１０は、バランス型風呂釜１００の接続口１０１の内縁上部に取り付けられた係合板部材（係合部材）２０と、給気筒１１０の接続口１０１への取付側端部近傍の上部内側に突出して設けられた突起部材３０とから構成される。
【００１９】
バランス型風呂釜１００は、給気筒１１０を接続するための機構部分を除いては図１１に示したものと同様の構成になっており、バランス型風呂釜１００の一側面には、給気筒１１０を接続するための接続口１０１が開設されている。給気筒１１０は、接続口１０１と略同一の開口寸法を有した断面矩形の筒形状を成している。給気筒１１０の接続口１０１との接続側端部の周囲には、９０度外側へ折り曲げられた折縁部１１１が形成されている。また折縁部１１１の前面には帯状の発砲樹脂など弾性を備えた素材から成るパッキン１１２を設けてある。
【００２０】
突起部材３０は、図２に示すように、根元の一部にねじの形成されていない雄ねじであり、先端の雄ねじ部３１とその根元部分にあってねじの形成されていない支柱部３２と、支柱部３２より幅広になっているねじの頭部３３とから構成されている。給気筒１１０の接続口１０１への接続側端部近傍の天井壁部分にはねじ穴１１３が開設されている。ねじ穴１１３は、一定間隔を空けて折縁部１１１と平行に２つ開設されており、それぞれに突起部材３０の雄ねじ部３１が給気筒１１０の内側から螺合される。
【００２１】
図１に示すように、給気筒１１０の接続口１０１への接続側端部の開口下部には、接続口１０１の下縁に引掛けるための引掛部４０を設けてある。引掛部４０は、給気筒１１０の開口下部から接続口１０１の側へ所定距離突出した後、下方へ折れ曲がった断面Ｌ字の金具である。引掛部４０は、給気筒１１０の下部を接続口１０１の下縁に引っ掛けて固定し得るものであれば良く、図１に例示したものに限られるものではない。
【００２２】
係合板部材２０は、図３に示すように、断面略Ｌ字の剛板であり、Ｌ字の長腕側を成す板状部２１には、突起部材３０と対応させて２つの係合穴部２３が開設されている。係合穴部２３は、突起部材３０の支柱部３２が貫通可能であって頭部３３が貫通不能な形状を成した穴部２４と、この穴部２４に連通し、頭部３３を避けて突起部材３０の支柱部３２を穴部２４に導くための案内路２５とで構成される。
【００２３】
図３に示すものでは、案内路２５は、頭部３３が貫通可能な円形穴状の入口部２５ａと、入口部２５ａと穴部２４とを繋ぐ連結路２５ｂとで構成されている。Ｌ字の長腕側の板状部２１は、連結路２５ｂの部分で傾斜して頂上部２７に至った後、当該頂上部を過ぎた箇所に微小段差２８を有し、当該微小段差を越えた後の部分は頂上部２７よりわずかに低くなっている。穴部２４は、頂上部２７を越えて微小段差２８の分だけ低くなった部分に設けてあり、穴部２４の中心と微小段差２８までの距離Ｃは、突起部材３０の頭部３３の直径Ｄのほぼ２分の１の長さになっている。
【００２４】
係合板部材２０は、図１に示すように、バランス型風呂釜１００の内側から接続口１０１の上縁にそってＬ字の長腕側の板状部２１を外側に突出させ、Ｌ字の短腕側の板状部２２の部分でバランス型風呂釜１００の側板内側に固定されている。
【００２５】
図４に示すように、係合板部材２０の短腕側の板状部２２と微小段差２８（共に内寸）との間の距離をＥ、突起部材３０の頭部３３の直径をＤとする。また図２に示すように、突起部材３０を固定するために給気筒１１０に開設されたねじ穴１１３の中心から給気筒１１０の有する折縁部１１１までの距離をＩ、押圧されていない状態におけるパッキン１１２の厚みをＨ、バランス型風呂釜１００の接続口１０１周辺における板厚をＧとする。このとき取付完了位置において、Ｇ＋Ｈ＋Ｉ＞Ｅ−Ｄ／２の関係が成立するように各部の寸法が設定されている。好ましくは、Ｇ＋Ｈ＋Ｉ−Ｈ／２＝Ｅ−Ｄ／２なる関係、すなわち、図４に示すように、パッキン１１２が押しつぶされた状態で給気筒１１０がバランス型風呂釜１００に取り付けられることが好ましい。
【００２６】
次に、バランス型風呂釜１００の接続口１０１への給気筒１１０の取付け方について説明する。
【００２７】
図１に示すように、バランス型風呂釜１００には係合板部材２０が、給気筒１１０には２つの突起部材３０および引掛部４０がそれぞれ予め取り付けられている。給気筒１１０をバランス型風呂釜１００の接続口１０１へ取り付けるには、折縁部１１１の開口がやや上を向くように給気筒１１０を斜めにした状態で、給気筒１１０の下部から突出している引掛部４０を接続口１０１の下部内縁に引っ掛けるとともに、突起部材３０を係合板部材２０の入口部２５ａに挿入する。その後、給気筒１１０の上部を接続口１０１に向けて押すと、突起部材３０の支柱部３２が連結路２５ｂを通じて穴部２４へと案内される。
【００２８】
穴部２４へ至る途中の頂上部２７の高さおよびＬ字の長腕側の板状部２１の板厚の合計Ｂは、突起部材３０の有する支柱部３２の高さＡより若干大きく設定されている。このため、突起部材３０の支柱部３２を案内路２５から穴部２４へ入れるためには、突起部材３０の頭部３３が頂上部２７を越え得るように、給気筒１１０を接続口１０１の側へ向けて一定以上の強い力で押し込むことになる。
【００２９】
押し込む際には、図４に示した短腕側の板状部２２ａの部分を内側から片手で支え、他方の手で折縁部１１１ａの部分を外側から押すとよい。かかる押し込みにより、パッキン１１２が押しつぶされるとともに、支柱部３２の頭部３３が頂上部２７を越えて微小段差２８に落ち込むと、今度は、頭部３３が微小段差２８に引っ掛かるので、その後は、手を離しても、パッキン１１２の圧縮された状態が維持され、取付が完了する。
【００３０】
図４は、取付完了位置における給気筒取付装置１０の係合板部材２０と突起部材３０との係合状態を示している。頂上部２７を越えて微小段差２８に落ち込んだ突起部材３０の頭部３３は、パッキン１１２の復元力によって穴部２４の側壁に押し付けられた状態となり、給気筒１１０がしっかりと接続口１０１に固定される。
【００３１】
図５から図８は、係合板部材の他の例を示したものである。図５に示す係合板部材２１０は、係合穴部２３を斜めに配置したものである。図６に示す係合板部材２２０は、案内路２５を横向きに配置したものである。図７に示す係合板部材２３０では、案内路を、Ｌ字の長腕側の板状部２１の前端から穴部２４に連通する切込溝２６として構成してある。突起部材３０の支柱部３２の案内路への挿入を容易にするために、切込溝２６の入口部分を広げてある。
【００３２】
図８に示す係合板部材２４０は、バランス型風呂釜１００の内側からＬ字の長腕側の板状部２１を外側に突出させた際にその根元部分２４１が、丁度、バランス型風呂釜１００の接続口１０１の上縁と接触するように、微小段差２８に至るまでにさらにもう１つの段差部を設けた構造になっている。また図８に示す係合板部材２４０では、給気筒１１０をバランス型風呂釜１００の接続口１０１に取り付けた際に根元部分２４１が給気筒１１０の天井壁部分と接触するようになっている。根元部分２４１が接続口１０１の上縁や給気筒１１０の天井壁部分と接触することで、係合板部材２０の板厚が薄くても、係合時における係合板部材２０の変形を防止することができる。
【００３３】
図９および図１０は、突起部材の他の例を示したものである。図９に示すものでは、給気筒１１０の天井壁に開設したねじ穴２６１を給気筒１１０の内側に突出するようにバーリング加工してある。このバーリング加工による突出部分２６２が突起部材の支柱部に相当する。ねじ穴２６１に給気筒１１０の内側からねじ２６３を螺合することで、ねじ２６３の頭部２６４が突起部材の頭部として機能するようになっている。
【００３４】
図１０に示すものでは、突起部材としてポップリベットを用いている。ポップリベット２７０は片側から母材を締結することのできるリベットである。ポップリベット２７０は、リベットボディ部２７１とマンドレル部２７５とで構成されている。リベットボディ部２７１は、胴部２７２と胴部より径の大きいリベット頭部２７３とから成り、これらの中心を貫通するように穴が開けられている。
【００３５】
この穴は、胴部２７２の先端近くの一部で細くなっており、これにしたがって、胴部２７２の肉厚は、根元側が薄く先端近くの一部が厚くなっている。マンドレル部２７５は、リベットボディ部２７１の穴部に入る細長い軸部２７６と軸部の先端に設けたマンドレル頭部２７７とから構成されている。軸部２７６の径はリベットボディ部２７１の先端部分の穴の内径よりやや細く、マンドレル頭部２７７の径は、胴部２７２の外径よりやや大きくかつリベットボディ部２７１の径よりも小さく設定されている。
【００３６】
給気筒１１０の天井壁には、外側に突出した円形の凹部２８１を設け、その中心に穴２８２を開設する。この穴２８２の径は、軸部２７６のマンドレル頭部２７７より僅かに大きくかつリベットボディ部２７１のリベット頭部２７３より小さい。
【００３７】
リベットボディ部２７１の穴にその胴部２７２側からマンドレル部２７５の軸部２７６を通した状態で、給気筒１１０の外側から凹部２８１中央の穴２８２にマンドレル部２７５をマンドレル頭部２７７の側から通し（図１０（ａ））、所定の工具を用いて、リベット頭部２７３を給気筒１１０に押し付けながら軸部２７６を掴んで引き上げることにより、図１０（ｂ）に示すようにリベットボディ部２７１の胴部２７２のうち肉厚の薄い部分が外側に膨らむようにつぶれて、リベットボディ部２７１が給気筒１１０に固定される。最後に、軸部２７６を適当な長さに切断して図１０（ｃ）の状態となる。突起部材としてポップリベット２７０を用いた場合には、マンドレル頭部２７７が頭部として機能し、リベットボディ部２７１の胴部２７２の肉厚な先端部分（寸法Ａの部分）が支柱部として機能する。
【００３８】
以上説明した実施の形態では、給気筒１１０の下部を引掛部４０で、上部を給気筒取付装置１０によって接続口１０１に取り付けるようにしたが、上下を給気筒取付装置１０で固定したり、下部を引掛部４０で固定し、左右あるいは上および左右を給気筒取付装置１０で固定したりしてもよい。
【００３９】
また係合穴部２３の形状や係合板部材２０、突起部材３０の構成は実施の形態で示したものに限定されず、本発明の機能を発揮する限りにおいて、適宜の形状とすることができる。
【００４０】
なお、バランス型風呂釜１００への係合板部材２０の取付や突起部材３０の給気筒１１０への取付を予め工場で行っても良いし、現場で作業員が取り付けるようにしてもよい。たとえば、係合板部材２０のＬ字の短腕側の板状部２２の部分をバランス型風呂釜１００にねじ止めするようにすれば、現場で容易に取り付けることが可能になる。
【００４１】
【発明の効果】
本発明にかかる給気筒取付装置１０によれば、突起部材と係合部材とを位置あわせして給気筒を燃焼装置の接続口に向けて押し込むだけで、給気筒を所定の取付完了位置に固定することができるので、だれでも容易に給気筒を燃焼装置の接続口に取り付けることができる。
【００４２】
弾性パッキンを挟んで給気筒を接続口に取り付けるとともに、取付完了位置において弾性パッキンが圧縮された状態になるようにしたものでは、給気筒を接続口に隙間無く取り付けることができる。また、弾性パッキンの復元力によって突起部材の頭部が頂上部に押圧されるので、より一層しっかりと給気筒を接続口に取り付けることができる。
【００４３】
接続口の下縁に引掛けるための引掛部を給気筒の開口下部に設けるとともに突起部材を給気筒の上部内側に設け、係合部材を、突起部材に対応させて接続口の内縁上部から筐体の外側へ突出して設けたものでは、給気筒下部の引掛部を接続口の下縁に引掛けた後、案内路を通じて突起部材の支柱部が係合部材の頂上部を越えて微小段差に落ち込んで穴部に入り込むように、給気筒の上部を接続口に近づけて押し込むことで、給気筒を取り付けることができ、さらに取付容易となる。
【００４４】
所定間隔を空けて突起部材を複数併設し、複数の突起部材に対応する複数の係合部材を一体に構成したものでは、突起部材毎に係合部材を設ける場合に比して給気筒取付装置の構成が簡略化される。また製造工程において係合部材を接続口に取り付ける際に、複数の係合部材同士で案内路の向きを揃えるという作業が軽減もしくは不要になり、製造容易になる。
【図面の簡単な説明】
【図１】本発明の一実施の形態に係る給気筒取付装置を用いてバランス型風呂釜に給気筒を取り付ける様子を示す説明図である。
【図２】本発明の一実施の形態に係る給気筒取付装置の突起部材を示す部分断面図である。
【図３】本発明の一実施の形態に係る給気筒取付装置の係合板部材を示す説明図である。
【図４】本発明の一実施の形態に係る給気筒取付装置を用いた給気筒の取付状態を示す部分断面図である。
【図５】本発明の一実施の形態に係る給気筒取付装置の係合板部材であって案内路を斜めに配置したものを示す説明図である。
【図６】本発明の一実施の形態に係る給気筒取付装置の係合板部材であって案内路を横向きに配置したものを示す説明図である。
【図７】本発明の一実施の形態に係る給気筒取付装置の係合板部材であって案内路を切込溝によって構成したものを示す説明図である。
【図８】本発明の一実施の形態に係る給気筒取付装置の係合板部材の他の一例を示す説明図である。
【図９】本発明の一実施の形態に係る給気筒取付装置の突起部材であってバーリングを利用したものを示す断面図である。
【図１０】本発明の一実施の形態に係る給気筒取付装置の突起部材であってポップリベットを利用したものを示す断面図である。
【図１１】バランス型風呂釜の設置状態を示す説明図である。
【図１２】接続口への給気筒の取付方法の従来例を示す説明図である。
【符号の説明】
１０…給気筒取付装置
２０…係合板部材（係合部材）
２１…Ｌ字の長腕側の板状部
２２…Ｌ字の短腕側の板状部
２３…係合穴部
２４…穴部
２５…案内路
２５ａ…入口部
２５ｂ…連結路
２６…切込溝
２７…頂上部
２８…微小段差
３０…突起部材
３１…雄ねじ部
３２…支柱部
３３…頭部
４０…引掛部
１００…バランス型風呂釜
１０１…接続口
１１０…給気筒
１１１…折縁部
１１２…パッキン
１１３…ねじ穴
２１０…係合板部材
２２０…係合板部材
２３０…係合板部材
２４０…係合板部材
２４１…根元部分
２６１…ねじ穴
２６２…突出部分
２６３…ねじ
２６４…頭部
２７０…ポップリベット
２７１…リベットボディ部
２７２…胴部
２７３…リベット頭部
２７５…マンドレル部
２７６…軸部
２７７…マンドレル頭部
２８１…凹部
２８２…穴
【図１】
2004020052.tif 000003
【図２】
2004020052.tif 000004
【図３】
2004020052.tif 000005
【図４】
2004020052.tif 000006
【図５】
2004020052.tif 000007
【図６】
2004020052.tif 000008
【図７】
2004020052.tif 000009
【図８】
2004020052.tif 000010
【図９】
2004020052.tif 000011
【図１０】
2004020052.tif 000012
【図１１】
2004020052.tif 000013
【図１２】
2004020052.tif 000014